(57)【特許請求の範囲】
【請求項１】
回転駆動機構によって所定の回転軸線周りに回転駆動される反射鏡によって発光ダイオードからの光を前記回転軸線と交差する照射方向に向けて放光する回転灯であって、
前記発光ダイオードは、前記回転軸線上の所定の光源位置に配置され、
前記反射鏡は、
前記光源位置を焦点とした回転放物面状に形成され、前記発光ダイオードからの光を前記照射方向に向けて反射するための放物面状第１反射面と、
前記回転軸線と直交する方向に広がる平面状に形成され、前記発光ダイオードに対向していて、当該発光ダイオードからの直接光を反射するための平面状第２反射面と、
この第２反射面で反射される反射光を前記照射方向を含む方向に向けて反射するための放物面状第３反射面とを含むものであることを特徴とする回転灯。
【請求項２】
前記第１反射面の回転放物面の対称軸は、前記回転軸線と直角に交差していることを特徴とする、請求項１に記載の回転灯。
【請求項３】
前記第２反射面は、前記回転軸線に沿う方向に関する前記第１反射面の端縁から延設されていることを特徴とする、請求項１または２に記載の回転灯。
【請求項４】
前記第３反射面は、前記第２反射面に関して前記光源位置に対称な点を焦点とした回転放物面を含み、この回転放物面の対称軸は、前記回転軸線と交差していることを特徴とする、請求項１から３の何れか１項に記載の回転灯。
【請求項５】
前記第３反射面は、複数の前記回転放物面を含み、これらの回転放物面の対称軸が延びる方向は互いに異なっていることを特徴とする、請求項４に記載の回転灯。
【請求項６】
前記第３反射面の前記回転放物面の前記対称軸は、前記回転軸線に対して直角に交差していることを特徴とする、請求項４または５に記載の回転灯。
【請求項７】
前記第３反射面は、前記回転軸線に沿う方向に関する前記反射鏡の一方の端部における外周縁部に形成され、前記照射方向に見たときに、前記回転駆動機構の少なくとも一部と重なり合うことを特徴とする、請求項１から６の何れか１項に記載の反射鏡。
【請求項８】
前記第３反射面は、前記回転軸線上に配置された光源位置に対して前方に位置し、前記回転軸線を中心として周方向に隣接する３つの放物面状の反射面を含むことを特徴とする、請求項１から７の何れか１項に記載の回転灯。
【請求項９】
前記回転軸線方向に対し、前記第２反射面を中心にして上下に対称に前記発光ダイオードおよび前記反射鏡が配置された上下二段構成をしていることを特徴とする、請求項１から８の何れか１項に記載の回転灯。
【請求項１０】
前記回転軸線に沿う方向に関して前記光源位置から離隔して副光源位置が設定されており、
この副光源位置に配置された副発光ダイオードがさらに備えられ、
前記反射鏡は、前記副光源位置を焦点とした回転放物面状に形成され、前記副発光ダイオードからの光を前記照射方向へ向けて反射する第４反射面をさらに含むことを特徴とする、請求項１から８の何れか１項に記載の回転灯。
【請求項１１】
前記第４反射面の回転放物面の対称軸は、前記回転軸線と直角に交差していることを特徴とする、請求項１０に記載の回転灯。
【請求項１２】
前記反射鏡は、前記回転軸線と交差する姿勢で前記副発光ダイオードに対向し、前記副発光ダイオードからの直接光を反射する第５反射面と、この第５反射面による反射光を前記照射方向を含む方向へ向けて反射する第６反射面とをさらに含むことを特徴とする、請求項１０または１１に記載の回転灯。
【請求項１３】
前記第５反射面は、前記回転軸線と直角に交差する平面に形成されていることを特徴とする、請求項１２に記載の回転灯。
【請求項１４】
前記第５反射面は、前記回転軸線に沿う方向に関する前記第４反射面の端縁から延設されていることを特徴とする、請求項１２または１３に記載の回転灯。
【請求項１５】
前記第６反射面は、前記第５反射面に関して前記副光源位置と対称な点を焦点とした回転放物面を含み、この回転放物面の対称軸は、前記回転軸線と交差していることを特徴とする、請求項１２から１４の何れか１項に記載の回転灯。
【請求項１６】
前記第６反射面は、複数の前記回転放物面を含み、これらの回転放物面の対称軸が延びる方向は互いに異なっていることを特徴とする、請求項１５に記載の回転灯。
【請求項１７】
前記回転軸線に沿う方向に関して、前記第３反射面は前記光源位置よりも外方に配置され、前記第６反射面は前記副光源位置よりも外方に配置され、前記第１、第２、第４および第５反射面は、前記光源位置と前記副光源位置との間に配置されていることを特徴とする、請求項１２から１６の何れか１項に記載の回転灯。
【発明の詳細な説明】
【技術分野】
【０００１】
本発明は、回転灯に関する。
【背景技術】
【０００２】
回転灯は、例えば、緊急用車両等のルーフ上に設置され、回転閃光等の警告信号を発するための回転警告灯に用いられている。回転灯は、光源としての発光ダイオード（以下、ＬＥＤともいう。）と、このＬＥＤからの光を所定の照射方向に向けて反射する反射鏡と、反射鏡を回転させる回転駆動機構とを有している（例えば、特許文献１参照。）。
【特許文献１】特開２００６−３１８８８５号公報
【発明の開示】
【発明が解決しようとする課題】
【０００３】
しかし、ＬＥＤは、指向性のある光を発するので、反射光により視認性を高めようとすると、反射鏡が大型化する。その結果、回転灯が大型化する。一方で、回転灯の小型化が要望されている。しかし、反射鏡を小型化すると、周囲から見たときの回転灯の視認性が低下してしまう。
そこで、本発明の目的は、小型で視認性の高い回転灯を提供することである。
【課題を解決するための手段】
【０００４】
本発明の回転灯は、回転駆動機構によって所定の回転軸線周りに回転駆動される反射鏡によって発光ダイオードからの光を前記回転軸線と交差する照射方向に向けて放光する回転灯であって、前記発光ダイオードは、前記回転軸線上の所定の光源位置に配置され、前記反射鏡は、前記光源位置を焦点とした回転放物面状に形成され、前記発光ダイオードからの光を前記照射方向に向けて反射するための放物面状第１反射面と、前記回転軸線と直交する方向に広がる平面状に形成され、前記発光ダイオードに対向していて、当該発光ダイオードからの直接光を反射するための平面状第２反射面と、この第２反射面で反射される反射光を前記照射方向を含む方向に向けて反射するための放物面状第３反射面とを含むものであることを特徴とする（請求項１）。
【０００５】
本発明によれば、発光ダイオードからの光は、第１反射面により平行光とされて照射方向に反射される。これに加えて、第３反射面の反射光が、照射方向に放光されるので、周囲からの視認性を高めることができる。また、第３反射面は、第２反射面からの反射光を受けるので、発光ダイオードからの直接光を受ける場合に比べて、照射方向へ光を反射するための設計自由度を高くできる。その結果、第３反射面により、スペースを有効利用しつつ、周囲から見たときの視認性を高めることができる。ここで、前記照射方向は、複数の照射方向を含んでもよい。また、回転放物面状は、回転放物面形状と、回転放物面形状に近似した形状とを含む趣旨である。
【０００６】
また、本発明において、前記第１反射面の回転放物面の対称軸は、前記回転軸線と直角に交差しているのが好ましい（請求項２）。この場合、第１反射面は、回転軸線に対して直交する方向へ平行光を反射できる。その結果、例えば、回転軸線を上下方向に沿わせた場合に、回転灯から遠く離れた位置からの視認性を高めることができる。
この発明では、第２反射面が平面であるので、第３反射面を設計し易い。また、第１反射面による反射光が前記回転軸線と直交する方向に平行に反射される場合に、第１反射面からの反射光を第２反射面で遮ることなく外部に照射できる。
【０００７】
また、本発明において、前記第２反射面は、前記回転軸線に沿う方向に関する前記第１反射面の端縁から延設されているのが好ましい（請求項３）。この場合、発光ダイオードからの光を有効利用しつつ、スペースをより一層有効利用できる。
また、本発明において、前記第３反射面は、前記第２反射面に関して前記光源位置に対称な点を焦点とした回転放物面を含み、この回転放物面の対称軸は、前記回転軸線と交差しているのが好ましい（請求項４）。この場合、第３反射面は、対称軸に平行な平行光を照射でき、この平行光により周囲からの視認性を高めることができる。
【０００８】
また、本発明において、前記第３反射面は、複数の前記回転放物面を含み、これらの回転放物面の対称軸が延びる方向は互いに異なっているのが好ましい（請求項５）。この場合、第３反射面に含まれる複数の回転放物面は、互いに異なる方向へ平行光を照射できるので、周囲からの視認性をより一層高めることができる。
また、本発明において、前記第３反射面の前記回転放物面の前記対称軸は、前記回転軸線と直角に交差している場合がある（請求項６）。この場合、第３反射面は、回転軸線に対して直交する方向へ平行光を反射できる。その結果、例えば、前記回転軸線を上下方向に沿わせた場合に、回転灯から遠く離れた位置からの視認性を高めることができる。
【０００９】
また、本発明において、前記第３反射面は、前記回転軸線に沿う方向に関する前記反射鏡の一方の端部における外周縁部に形成され、前記照射方向に見たときに、前記回転駆動機構の少なくとも一部と重なり合う場合がある（請求項７）。この場合、スペースをより一層有効利用することができる。
請求項８記載の発明は、前記第３反射面は、前記回転軸線上に配置された光源位置に対して前方に位置し、前記回転軸線を中心として周方向に隣接する３つの放物面状の反射面を含むことを特徴とする、請求項１から７の何れか１項に記載の回転灯である。
請求項９記載の発明は、前記回転軸線方向に対し、前記第２反射面を中心にして上下に対称に前記発光ダイオードおよび前記反射鏡が配置された上下二段構成をしていることを特徴とする、請求項１から８の何れか１項に記載の回転灯である。
また、本発明において、前記回転軸線に沿う方向に関して前記光源位置から離隔して副光源位置が設定されており、この副光源位置に配置された副発光ダイオードがさらに備えられ、前記反射鏡は、前記副光源位置を焦点とした回転放物面状に形成され、前記副発光ダイオードからの光を前記照射方向へ向けて反射する第４反射面をさらに含む場合がある（請求項１０）。この場合、副発光ダイオードからの光は、第４反射面により平行光とされて照射方向に反射される。第４反射面の反射光が、第１反射面および第３反射面の反射光に加えて放光されるので、周囲からの視認性をより一層高めることができる。
【００１０】
また、本発明において、前記第４反射面の回転放物面の対称軸は、前記回転軸線と直角に交差しているのが好ましい（請求項１１）。この場合、第４反射面は、回転軸線に対して直交する方向へ平行光を反射できる。その結果、例えば、回転軸線を上下方向に沿わせた場合に、回転灯から遠く離れた位置からの視認性を高めることができる。
また、本発明において、前記反射鏡は、前記回転軸線と交差する姿勢で前記副発光ダイオードに対向し、前記副発光ダイオードからの直接光を反射する第５反射面と、この第５反射面による反射光を前記照射方向を含む方向へ向けて反射する第６反射面とをさらに含む場合がある（請求項１２）。この場合、副発光ダイオードからの光は、第４反射面により照射方向に反射されることに加えて、第５反射面を介して第６反射面により反射されて、照射方向に放光される。その結果、周囲からの視認性を高めることができる。また、第６反射面は、第５反射面からの反射光を受けるので、副発光ダイオードからの直接光を受ける場合に比べて、照射方向へ光を反射するための設計自由度を高くできる。その結果、第６反射面により、スペースを有効利用しつつ、周囲から見たときの視認性を高めることができる。
【００１１】
また、本発明において、前記第５反射面は、前記回転軸線と直角に交差する平面に形成されているのが好ましい（請求項１３）。この場合、第５反射面が平面であるので、第６反射面を設計し易い。また、第４反射面による反射光が前記回転軸線と直交する方向に平行に反射される場合に、第４反射面からの反射光を第５反射面で遮ることなく外部に照射できる。
【００１２】
また、本発明において、前記第５反射面は、前記回転軸線に沿う方向に関する前記第４反射面の端縁から延設されているのが好ましい（請求項１４）。この場合、副発光ダイオードからの光を有効利用しつつ、スペースをより一層有効利用できる。
また、本発明において、前記第６反射面は、前記第５反射面に関して副光源位置と対称な点を焦点とした回転放物面を含み、この回転放物面の対称軸は、前記回転軸線と交差している場合がある（請求項１５）。この場合、第６反射面は、対称軸に平行な平行光を照射でき、この平行光により視認性を高めることができる。
【００１３】
また、本発明において、前記第６反射面は、複数の前記回転放物面を含み、これらの回転放物面の対称軸が延びる方向は互いに異なっているのが好ましい（請求項１６）。この場合、第６反射面に含まれる複数の回転放物面は、互いに異なる方向へ平行光を照射できるので、周囲からの視認性をより一層高めることができる。
また、本発明において、前記回転軸線に沿う方向に関して、前記第３反射面は前記光源位置よりも外方に配置され、前記第６反射面は前記副光源位置よりも外方に配置され、前記第１、第２、第４および第５反射面は、前記光源位置と前記副光源位置との間に配置されている場合がある（請求項１７）。この場合、発光ダイオードおよび副発光ダイオードを、前記回転軸線に沿う方向に関する反射鏡の両端部に配置できるので、発光ダイオードおよび副発光ダイオードを固定する構造を簡素化できる。その結果、スペースをより一層有効利用することができる。
【発明を実施するための最良の形態】
【００１４】
以下では、本発明の実施の形態を、添付図面を参照して詳細に説明する。第１の実施形態では、回転灯が回転警告灯に適用されている場合に則して説明する。
図１は、本発明の第１の実施形態の回転灯が適用された回転警告灯１の断面図である。図１を参照して、回転警告灯１は、回転灯２と、この回転灯２を収容する筒状の外郭ケース３とを有している。外郭ケース３は、回転灯２を支持するケース本体４と、このケース本体４に固定されたグローブ５とを有している。グローブ５は、透光性部材により形成されており、回転灯２からの光を周囲に透過させることができる。回転灯２は、光の照射方向（例えば、第１の照射方向Ａ１）を、所定の回転軸線６の周りに変化させながら、全周に放光する。
【００１５】
外郭ケース３の中心軸線と回転灯２の回転軸線６とが、互いに沿っており、上下方向Ｚに沿っている。ケース本体４の底部が、直接に、または間接的に、所定の設置対象部材７に固定されている。ここで、設置対象部材７としては、緊急用車両のルーフ、看板、機械装置等を例示できる。
なお、回転警告灯１の姿勢は、自在に設定することができる。本実施形態では、回転警告灯１の姿勢が、回転灯２の回転軸線６が上下方向Ｚに沿った上述の姿勢である場合に則して、回転灯２を説明する。
【００１６】
回転灯２は、光源（主光源）としての発光ダイオード８（ＬＥＤ８ともいう。）と、副光源としての副発光ダイオード９（副ＬＥＤ９ともいう。）と、ＬＥＤ８および副ＬＥＤ９から発せられた光を所定の照射方向、例えば、第１の照射方向Ａ１に反射する反射鏡１０と、この反射鏡１０を回転軸線６の周りに回転駆動する回転駆動機構１１とを有している。反射鏡１０が回転軸線６の周りに回転することにより、反射鏡１０による反射光の照射方向が徐々に変化する。これにより、光が水平方向の全周に向けて照射される。
【００１７】
図２は、図１の回転灯２の反射鏡１０の斜視図である。図１、図２を参照して、回転灯２の照射方向は、反射鏡１０により光が反射される方向であり、具体的には、後述する反射鏡１０の複数の反射面ごとに設定されており、第１〜第８の照射方向Ａ１〜Ａ８を含んでいる。
回転灯２は、光源位置Ｐ１と、副光源位置Ｐ２とを有している。光源位置Ｐ１および副光源位置Ｐ２は、反射鏡１０により規定されており、この反射鏡１０により照射方向Ａ１〜Ａ８に光を放光するためにＬＥＤ８および副ＬＥＤ９を配置すべき位置である。
【００１８】
光源位置Ｐ１に配置されたＬＥＤ８が発光すると、光は、反射鏡１０により反射されて、所定の照射方向Ａ１〜Ａ４に照射されるようになっている。また、副光源位置Ｐ２に配置された副ＬＥＤ９が発光すると、光は、反射鏡１０により反射されて、所定の照射方向Ａ５〜Ａ８に照射されるようになっている。
具体的には、光源位置Ｐ１および副光源位置Ｐ２は、回転軸線６上に配置され、互いに離隔して配置されている。光源位置Ｐ１は、反射鏡１０の下側の端部１２に配置されている。また、副光源位置Ｐ２は、反射鏡１０の上側の端部１３に配置されている。
【００１９】
図１に戻る。回転灯２に、ベース１６と、ＬＥＤ８を固定状態で支持する光源支持部材１７と、反射鏡１０を支持する反射鏡支持部材１８と、副ＬＥＤ９を固定状態で支持する副光源支持部材１９とが設けられている。ベース１６は、光源支持部材１７を固定状態で支持し、反射鏡支持部材１８を回転可能に支持し、回転駆動機構１１を支持している。
ベース１６と光源支持部材１７と反射鏡支持部材１８とにより、ＬＥＤ８が、反射鏡１０に対して位置決めされ、その結果、光源位置Ｐ１に配置されるようになっている。また、外殻ケース３とベース１６と反射鏡支持部材１８と副光源支持部材１９とにより、副ＬＥＤ９が、反射鏡１０に対して位置決めされ、その結果、副光源位置Ｐ２に配置されるようになっている。
【００２０】
ベース１６は、ケース本体４に固定されており、光源支持部材１７を介してＬＥＤ８を固定状態で支持するとともに、反射鏡支持部材１８を介して反射鏡１０を回転自在に支持している。ベース１６は、板状の主体部２０と、この主体部２０から上方に突出した支軸２１とを有している。支軸２１の中心軸線は、回転軸線６と一致している。支軸２１と主体部２０とは、互いに固定され、具体的には単一部材により一体に形成されている。
【００２１】
支軸２１は、光源支持部材１７を、支軸２１の軸方向の所定位置に位置決めした状態で固定している。光源支持部材１７は、回路基板２２を支持している。この回路基板２２の導体部分に、ＬＥＤ８が、電気的に接続された状態で支持されている。
ＬＥＤ８は、単一で設けられている。ＬＥＤ８は、指向性のある光を放射する。ＬＥＤ８は、光軸２３を有している。光軸２３は、ＬＥＤ８が光を最も強く発する方向であり、回転軸線６に沿っている。ＬＥＤ８は、光軸２３に沿う光を上向きに発するようにされている。ＬＥＤ８から発生する光は、光軸２３上で最も強いが、光軸２３と非平行な方向へも向かう。
【００２２】
副光源支持部材１９は、外郭ケース３のグローブ５の頂部に固定されており、副ＬＥＤ９を支持している。副光源支持部材１９は、例えば、回路基板からなり、回路基板の導体部分が副ＬＥＤ９に電気的に接続されている。
副ＬＥＤ９は、単一で設けられている。副ＬＥＤ９は、ＬＥＤ８と同様に、指向性のある光を放射し、光軸２４を有している。副ＬＥＤ９は、光軸２４に沿う光を上下方向Ｚに沿って下向きに発するようにされている。副ＬＥＤ９から発生する光は、光軸２４上で最も強いが、光軸２３と非平行な方向へも向かう。
【００２３】
また、支軸２１は、軸受２５を介して、反射鏡支持部材１８を回転自在に保持しつつ、反射鏡支持部材１８を、当該支軸２１の軸方向および径方向に位置決めしている。反射鏡支持部材１８と反射鏡１０とは、互いに一体回転できるように互いに固定されている。
反射鏡支持部材１８は、ＬＥＤ８および光源支持部材１７を取り囲む環状をなしている。具体的には、反射鏡支持部材１８は、軸受２５を介して支軸２１に支持された筒部２６と、この筒部２６から径方向外方に延設された環状板部２７とを有している。筒部２６は、支軸２１の軸方向に延びており、筒部２６の内周が軸受２５の外周に嵌合している。環状板部２７の上面に、反射鏡１０が固定されている。環状板部２７は、回転駆動機構１１により回転駆動される。
【００２４】
回転駆動機構１１は、駆動源としての電動モータ３０と、この電動モータ３０の出力軸の回転を反射鏡１０に伝達するための伝達機構としての複数の動力伝達部材３１，３２，３３，３４とを有している。
第１の動力伝達部材３１と第２の動力伝達部材３２とは、互いに係合することにより、互いに動力を伝達する。第１の動力伝達部材３１は、駆動部材として機能し、第２の動力伝達部材３２は、従動部材として機能する。第１の動力伝達部材３１は、相対的に小径の円筒形状のローラであり、電動モータ３０の出力軸に固定されている。第２の動力伝達部材３２は、第１の動力伝達部材３１よりも相対的に大径の円板状の弾性部材により形成されている。第１の動力伝達部材３１の外周面の係合部と、第２の動力伝達部材３２の外周面の係合部とが互いに摩擦を伴って係合することにより、第１の動力伝達部材３１の回転が第２の動力伝達部材３２に伝達される。
【００２５】
第２の動力伝達部材３２と第３の動力伝達部材３３とは、互いに一体回転するように、軸部材３５を介して互いに固定されている。軸部材３５は、ベース１６に回動自在に支持されている。
第３の動力伝達部材３３と第４の動力伝達部材３４とは、互いに係合することにより、互いに動力を伝達する。第３の動力伝達部材３３は、駆動部材として機能し、第４の動力伝達部材３４は、従動部材として機能する。第３の動力伝達部材３３は、相対的に小径の円筒形状のローラである。第４の動力伝達部材３４は、第３の動力伝達部材３３に比べて相対的に大径の弾性部材により形成されたリングである。第３の動力伝達部材３３の外周面の係合部と、第４の動力伝達部材３４の外周面の係合部とが互いに摩擦を伴って係合することにより、第３の動力伝達部材３３の回転が第４の動力伝達部材３４に伝達される。第４の動力伝達部材３４と、反射鏡支持部材１８の環状板部２７とは、互いに一体回転できるように、単一部材により一体に形成されている。なお、環状板部２７と、第４の動力伝達部材３４とが、互いに別部材に形成されて、互いに固定されてもよい。
【００２６】
図３は、図２の反射鏡１０の正面図である。図４は、図３のＩＶ−ＩＶ断面の断面図である。図５は、図３のＶ−Ｖ断面の断面図である。図６は、図２の反射鏡１０の平面図である。以下の説明においては、回転軸線６に直交する方向であり且つ後述する第１の照射方向Ａ１に直交する方向を左右方向Ｙ、または側方ともいう。また、回転軸線６に直交する方向であり左右方向Ｙに直交する方向を、前後方向Ｘともいい、反射鏡１０から光が照射される向きを前方ともいう。
【００２７】
図１、図２、図３を参照して、反射鏡１０は、反射鏡支持部材１８と連結される環状板３８と、環状板３８の外縁部に形成された湾曲板４０と、環状板３８の上面から上方に延設されており光源位置Ｐ１の上方に臨む湾曲板４１と、湾曲板４１の上側端縁から前方に延設された平板４２と、湾曲板４１の上側端縁から上方に延設されており副光源位置Ｐ２の下方に臨む湾曲板４３と、湾曲板４３の上側端縁と連結されており湾曲板４０と上下方向Ｚに対向する湾曲板４４とを有している。平板４２は、光源位置Ｐ１と副光源位置Ｐ２とから等距離の位置に配置されている。これら各板３８，４０，４１，４２，４３，４４は、単一の部材により一体に形成されている。
【００２８】
図２，図３を参照して、反射鏡１０は、第１反射面５１と、第２反射面５２と、第３反射面５３と、第４反射面５４と、第５反射面５５と、第６反射面５６とを有している。各反射面５１，５２，５３，５４，５５，５６により、照射方向Ａ１〜Ａ８へ集光されるようになっている。また、具体的に図示しないが、反射鏡１０は、各反射面５１，５２，５３，５４，５５，５６を形成する反射面形成部材と、この反射面形成部材を担持する担持体とを有している。この担持体は、合成樹脂部材からなる。反射面形成部材は、担持体の表面上にアルミニウム蒸着により形成された薄い膜からなる。なお、反射面形成部材と担持体とが、単一部材により形成されていてもよい。
【００２９】
図１、図４、図５を参照して、第１反射面５１は、ＬＥＤ８からの直接光を受けて、受けた光を第１の照射方向Ａ１に向けて反射する。第１の照射方向Ａ１は、回転軸線６に直交する方向である。第１反射面５１は、回転放物面形状に形成されている。この回転放物面形状の焦点Ｆ１が、光源位置Ｐ１に一致している。回転放物面形状の対称軸Ｓ１（焦点Ｆ１と頂点とを通る線）は、回転軸線６と直角に交差しており、第１の照射方向Ａ１と平行になっている。第１反射面５１は、回転軸線６との交点Ｃ１（ＬＥＤ８の光軸２３との交点に相当する）を有している。第１反射面５１は、湾曲板４１の凹湾曲面に形成されており、光源位置Ｐ１を上方、後方、左右側方から覆っている。
【００３０】
図１、図３、図４を参照して、第２反射面５２は、回転軸線６と交差するようにＬＥＤ８に対向して配置されており、当該ＬＥＤ８からの直接光を反射する。このときの反射方向は、回転軸線６に対して斜め下向きに交差するような方向であり、第２反射面５２から第３反射面５３に向かう方向である。第２反射面５２の一部による反射光が、第３反射面５３に達し、第２反射面５２の他の一部による反射光は、回転灯２の周囲の下方に向けて照射される。
【００３１】
第２反射面５２は、回転軸線６に対して斜めに傾く方向に沿って、ＬＥＤ８と対向している。第２反射面５２がＬＥＤ８よりも前方（回転灯２から光が照射される方向）に配置されている。第２反射面５２は、回転軸線６と直角に交差するような平面に形成されている。具体的には、第２反射面５２の延長面が、回転軸線６と直角に交差している。第２反射面５２は、回転軸線６に沿う方向Ｘ１に関して、光源位置Ｐ１から遠い側にある第１反射面５１の端縁５７から延設されており、平板４２の下面に形成されている。
【００３２】
図１、図２、図３を参照して、第３反射面５３は、第１の部分反射面６１と、第２の部分反射面６２と、第３の部分反射面６３とを有している。第１の部分反射面６１と、第２の部分反射面６２と、第３の部分反射面６３とは、回転軸線６を中心とした周方向に互いに隣接して並んでいる。
図２、図４、図５、図６を参照して、第１の部分反射面６１は、第２反射面５２からの反射光を第２の照射方向Ａ２に向けて反射する。第１の部分反射面６１は、回転放物面形状に形成されている。この回転放物面形状の焦点Ｆ２が、第２反射面５２に対する光源位置Ｐ１の対称点Ｐ１１に一致している。回転放物面形状の対称軸Ｓ２は、回転軸線６と直角に交差しており、第２の照射方向Ａ２と平行になっている。第１の部分反射面６１は、湾曲板４０の凹湾曲面に形成されている。第２の照射方向Ａ２は、回転軸線６に直交する方向であり、第１の照射方向Ａ１と平行である。
【００３３】
第２の部分反射面６２は、第２反射面５２からの反射光を第３の照射方向Ａ３に向けて反射する。第２の部分反射面６２は、回転放物面形状に形成されている。この回転放物面形状の焦点Ｆ３が、第２反射面５２に対する光源位置Ｐ１の対称点Ｐ１１に一致している。回転放物面形状の対称軸Ｓ３は、回転軸線６と直角に交差しており、第３の照射方向Ａ３と平行になっている。第２の部分反射面６２は、湾曲板４０の凹湾曲面に形成されており、回転軸線６を中心とした周方向に第１の部分反射面６１と隣接している。
【００３４】
第３の照射方向Ａ３は、回転軸線６に直交する方向であり、第２の照射方向Ａ２に対して斜め側方へ傾いている。第３の照射方向Ａ３と第２の照射方向Ａ２とは、回転軸線６に沿って見たときに所定角度Ｄ１、例えば、鋭角をなしている。
第３の部分反射面６３は、第２反射面５２からの反射光を第４の照射方向Ａ４に向けて反射する。第３の部分反射面６３は、回転放物面形状に形成されている。この回転放物面形状の焦点Ｆ４が、第２反射面５２に関して光源位置Ｐ１と対称な対称点Ｐ１１に一致している。回転放物面形状の対称軸Ｓ４は、回転軸線６と直角に交差しており、第４の照射方向Ａ４と平行になっている。第３の部分反射面６３は、湾曲板４０の凹湾曲面に形成されており、回転軸線６を中心とした周方向に第１の部分反射面６１と隣接している。
【００３５】
第４の照射方向Ａ４は、回転軸線６に直交する方向であり、第２の照射方向Ａ２に対して斜め側方へ傾いている。第４の照射方向Ａ４と第２の照射方向Ａ２とは、回転軸線６に沿って見たときに所定角度Ｄ２、例えば、鋭角をなしている。回転軸線６に沿って見たときに、第４の照射方向Ａ４と第３の照射方向Ａ３とは、第２の照射方向Ａ２および回転軸線６を含む平面Ｘ１０に対して、互いに反対側に向いている。第４の照射方向Ａ４と第２の照射方向Ａ２とがなす所定角度Ｄ２は、第３の照射方向Ａ３と第２の照射方向Ａ２とがなす所定角度Ｄ１と互いに等しくされている。
【００３６】
第３反射面５３の第１〜第３の部分反射面６１，６２，６３の回転放物面形状の焦点Ｆ２，Ｆ３，Ｆ４は、互いに一致しており、また、副光源位置Ｐ２とも一致している。第３反射面５３の第１〜第３の部分反射面６１，６２，６３の回転放物面形状の対称軸Ｓ２，Ｓ３，Ｓ４は、回転軸線６の周りの周方向に関して、互いに異なる方向に沿って延びている。各対称軸Ｓ２，Ｓ３，Ｓ４は、それぞれ、回転軸線６と直角に交差している。また、回転軸線６に沿って見たときに、各対称軸Ｓ２，Ｓ３，Ｓ４は互いに交差している。
【００３７】
図２、図４、図５、図６を参照して、第４反射面５４は、副ＬＥＤ９からの直接光を受けて、受けた光を第５の照射方向Ａ５に向けて反射する。第５の照射方向Ａ５は、回転軸線６に直交する方向であり、第１の照射方向Ａ１に平行な方向である。第４反射面５４は、回転放物面形状に形成されている。この回転放物面形状の焦点Ｆ５が、副光源位置Ｐ２に一致している。回転放物面形状の対称軸Ｓ５（焦点Ｆ５と頂点とを通る線）は、回転軸線６と直角に交差しており、第５の照射方向Ａ５と平行になっている。第４反射面５４は、回転軸線６との交点Ｃ２（副ＬＥＤ９の光軸２４との交点に相当する）を有している。第４反射面５４は、湾曲板４３の凹湾曲面に形成されており、副光源位置Ｐ２を下方、後方、左右側方から取り囲んでいる。
【００３８】
第５反射面５５は、回転軸線６と交差するように副ＬＥＤ９に対向して配置されており、副ＬＥＤ９からの直接光を反射する。このときの反射方向は、回転軸線６に対して斜め上向きに交差するような方向であり、第５反射面５５から第６反射面５６に向かう方向である。第５反射面５５は、回転軸線６に対して斜めに傾く方向に沿って、副ＬＥＤ９と対向している。第５反射面５５が副ＬＥＤ９よりも前方に配置されている。第５反射面５５は、回転軸線６と直角に交差するような平面に形成されている。具体的には、第５反射面５５の延長面が、回転軸線６と直角に交差している。第５反射面５５は、回転軸線６に沿う方向Ｘ１に関して、副光源位置Ｐ２から遠い側にある第４反射面５４の端縁６４から延設されており、平板４２の上面に形成されている。
【００３９】
第６反射面５６は、第１の反射面部分７１と、第２の反射面部分７２と、第３の反射面部分７３とを有している。第１の反射面部分７１と、第２の反射面部分７２と、第３の反射面部分７３とは、回転軸線６を中心とした周方向に互いに隣接して並んでいる。
第１の反射面部分７１は、第５反射面５５からの反射光を第６の照射方向Ａ６に向けて反射する。第１の反射面部分７１は、回転放物面形状に形成されている。この回転放物面形状の焦点Ｆ６が、第５反射面５５に対する副光源位置Ｐ２の対称点Ｐ１２に一致している。回転放物面形状の対称軸Ｓ６は、回転軸線６に対して所定角度Ｄ３で斜めに交差しており、第６の照射方向Ａ６と平行になっている。第１の反射面部分７１は、湾曲板４４の凹湾曲面に形成されている。第６の照射方向Ａ６は、回転軸線６に対して所定角度Ｄ３で斜め下向きに交差する方向である。第６の照射方向Ａ６と第５の照射方向Ａ５とは、回転軸線６に沿って見たときに互いに平行である。
【００４０】
第２の反射面部分７２は、第５反射面５５からの反射光を第７の照射方向Ａ７に向けて反射する。第２の反射面部分７２は、回転放物面形状に形成されている。この回転放物面形状の焦点Ｆ７が、第５反射面５５に対する副光源位置Ｐ２の対称点Ｐ１２に一致している。回転放物面形状の対称軸Ｓ７は、回転軸線６に対して所定角度Ｄ４で斜めに交差しており、第７の照射方向Ａ７と平行になっている。第２の反射面部分７２は、湾曲板４４の凹湾曲面に形成されており、第１の反射面部分７１と、回転軸線６を中心とした周方向に隣接している。
【００４１】
第７の照射方向Ａ７は、回転軸線６に対して所定角度Ｄ４で斜め下向きに交差する方向である。第７の照射方向Ａ７と回転軸線６とのなす所定角度Ｄ４は、第６の照射方向Ａ６と回転軸線６とのなす所定角度Ｄ３と等しくされている。
また、第７の照射方向Ａ７は、第６の照射方向Ａ６に対して側方に傾斜している。第７の照射方向Ａ７と第６の照射方向Ａ６とは、回転軸線６に沿って見たときに所定角度Ｄ５、例えば、鋭角をなしている。
【００４２】
第３の反射面部分７３は、第５反射面５５からの反射光を第８の照射方向Ａ８に向けて反射する。第３の反射面部分７３は、回転放物面形状に形成されている。この回転放物面形状の焦点Ｆ８が、第５反射面５５に関して副光源位置Ｐ２に対称な対称点Ｐ１２に一致している。回転放物面形状の対称軸Ｓ８は、回転軸線６に対して所定角度Ｄ６で斜めに交差しており、第８の照射方向Ａ８と平行になっている。第３の反射面部分７３は、湾曲板４４の凹湾曲面に形成されており、第１の反射面部分７１と、回転軸線６を中心とした周方向に隣接している。
【００４３】
第８の照射方向Ａ８は、回転軸線６に対して所定角度Ｄ６で斜め下向きに交差する方向である。第８の照射方向Ａ８と回転軸線６とのなす所定角度Ｄ６は、第６の照射方向Ａ６と回転軸線６とのなす所定角度Ｄ３と等しくされている。
また、第８の照射方向Ａ８は、第６の照射方向Ａ６に対して側方に傾斜している。第８の照射方向Ａ８と第６の照射方向Ａ６とは、回転軸線６に沿って見たときに所定角度Ｄ７、例えば、鋭角をなしている。また、回転軸線６に沿って見たときに、第８の照射方向Ａ８と第７の照射方向Ａ７とは、第６の照射方向Ａ６および回転軸線６を含む平面Ｘ１１に対して、互いに反対側に向くようにされている。第８の照射方向Ａ８と第６の照射方向Ａ６とがなす所定角度Ｄ７は、第７の照射方向Ａ７と第６の照射方向Ａ６とがなす所定角度Ｄ５と互いに等しくされている。
【００４４】
第６反射面５６の第１〜第３の反射面部分７１，７２，７３の回転放物面形状の焦点Ｆ６，Ｆ７，Ｆ８は、互いに一致しており、また、光源位置Ｐ１とも一致している。第６反射面５６の第１〜第３の反射面部分７１，７２，７３の回転放物面形状の対称軸Ｓ６，Ｓ７，Ｓ８は、回転軸線６を中心とする周方向に関して互いに異なる方向に沿って延びている。各対称軸Ｓ６，Ｓ７，Ｓ８は、それぞれ、回転軸線６に対して斜め下向きに交差している。また、回転軸線６に沿って見たときに、各対称軸Ｓ６，Ｓ７，Ｓ８は互いに交差している。
【００４５】
第６反射面５６の第２の反射面部分７２の第７の照射方向Ａ７と、第３反射面５３の第２の部分反射面６２の第３の照射方向Ａ３とは、回転軸線６に沿って見たときに互いに平行である。第６反射面５６の第３の反射面部分７３の第８の照射方向Ａ８と、第３反射面５３の第３の部分反射面６３の第４の照射方向Ａ４とは、回転軸線６に沿って見たときに互いに平行である。
【００４６】
第１反射面５１、第２反射面５２、第５反射面５５および第４反射面５４は、この記載の順で、回転軸線６に沿う方向Ｘ１に関して、互いに隣接しており、光源位置Ｐ１と副光源位置Ｐ２との間に配置されている。第１反射面５１は、第２反射面５２および第３反射面５３の間に配置されている。また、第２反射面５２と第３反射面５３とは、互いに対向している。
【００４７】
第３反射面５３は、回転軸線６に沿う方向Ｘ１に関して、第１反射面５１よりも外方に配置されるとともに、光源位置Ｐ１よりも外方に配置されている。回転軸線６に沿う方向Ｘ１に関する光源位置Ｐ１よりも外方の位置は、ＬＥＤ８の背後（ＬＥＤ８の発光方向の反対側）であるので、指向性のあるＬＥＤ８からの直接光は到達し難い傾向にある。このような位置に、第３反射面５３を設けたので、スペースの有効利用に寄与する。
【００４８】
また、第３反射面５３は、回転軸線６に沿う方向Ｘ１に関する反射鏡１０の下側の端部１２における、回転軸線６を中心とした径方向Ｘ２に関しての反射鏡１０の外縁部としての湾曲板４０に形成されている。反射鏡１０の外縁部には、指向性のあるＬＥＤ８からの直接光は到達し難い傾向にある。このような外縁部に第３反射面５３が配置されるので、スペースの有効利用に寄与する。
【００４９】
また、第３反射面５３は、第１の照射方向Ａ１に沿って見たときに、回転駆動機構１１の一部である第３の動力伝達部材３３および第４の動力伝達部材３４と重なり合うようにして配置されている。回転軸線６に沿う方向Ｘ１に関して、第３反射面５３と、回転駆動機構１１との距離を短くできるので、スペースの有効利用に寄与する。
また、第４反射面５４は、第５反射面５５および第６反射面５６の間に配置されている。また、第５反射面５５と第６反射面５６とは、互いに対向している。
【００５０】
第６反射面５６は、回転軸線６に沿う方向Ｘ１に関して、第４反射面５４よりも外方に配置され、副光源位置Ｐ２よりも外方に配置されている。第３反射面５３と同様に、第６反射面５６を副ＬＥＤ９の背後に配置したので、スペースの有効利用に寄与する。
また、第６反射面５６は、回転軸線６に沿う方向Ｘ１に関する反射鏡１０の上側の端部１３における、回転軸線６を中心とした径方向Ｘ２に関しての反射鏡１０の外縁部としての湾曲板４４に形成されている。反射鏡１０の外縁部には、指向性のある副ＬＥＤ９からの直接光は到達し難い傾向にある。このような外縁部に第６反射面５６が配置されるので、スペースの有効利用に寄与する。
【００５１】
また、第６反射面５６は、第１の照射方向Ａ１に沿って見たときに、副ＬＥＤ９および副光源支持部材１９と重なり合うようにして配置されている。回転軸線６に沿う方向Ｘ１に関して、第６反射面５６と、副ＬＥＤ９および副光源支持部材１９との距離を短くできるので、スペースの有効利用に寄与する。
以上説明したように、本発明の実施形態の回転灯２は、回転駆動機構１１によって所定の回転軸線６の周りに回転駆動される反射鏡１０によってＬＥＤ８からの光を回転軸線６と交差する第１〜第８の照射方向Ａ１〜Ａ８に向けて放光する回転灯２である。ＬＥＤ８が、回転軸線６上の所定の光源位置Ｐ１に配置され、回転軸線６に沿って光軸２３を設定したものである。反射鏡１０が、（１）光源位置Ｐ１を焦点Ｆ１とした回転放物面状に形成され、ＬＥＤ８からの光を第１の照射方向Ａ１に向けて反射する第１反射面５１と、（２）回転軸線６と交差する姿勢でＬＥＤ８に対向し、当該ＬＥＤ８からの直接光を反射する第２反射面５２と、（３）この第２反射面５２からの反射光を第２〜第４の照射方向Ａ２，Ａ３，Ａ４に向けて反射する第３反射面５３とを含むことを特徴とする。
【００５２】
本実施形態によれば、ＬＥＤ８からの光は、第１反射面５１により平行光とされて第１の照射方向Ａ１に反射される。これに加えて、第２反射面５２は、回転軸線６と交差するようにＬＥＤ８と対向しているので、ＬＥＤ８からの放射光のうちで、光軸２３に対して前方に傾斜した方向に放射される光（この光は第１反射面５１の外側に向く光である。）を、第３反射面５３に向けて反射することができる。第３反射面５３の反射光が、第２〜第４の照射方向Ａ２，Ａ３，Ａ４に放光される。その結果、周囲からの視認性を高めることができる。
【００５３】
また、第３反射面５３は、第２反射面５２からの反射光を受けるので、ＬＥＤ８からの直接光を受ける場合に比べて、照射方向Ａ２，Ａ３，Ａ４へ光を反射するための設計自由度を高くできる。その結果、第３反射面５３により、スペースを有効利用しつつ、周囲から見たときの視認性を高めることができる。
例えば、第３反射面５３を、ＬＥＤ８からの直接光を反射するために利用し難い傾向にある場所、例えば、反射鏡１０の端部１２の外周縁部に配置しつつ、第３反射面５３の反射光により高い視認性を得ることができる。
【００５４】
特に、第３反射面５３が反射鏡１０の端部１２の外周縁部に配置されることにより、例えば、回転駆動機構１１の大幅な変更を伴わずに、周囲から見たときの反射面全体の大きさを大きくできる。その結果、回転灯２の視認性を容易に高めることができる。
また、本実施形態では、第１反射面５１は、回転放物面を含み、この回転放物面の対称軸Ｓ１は、回転軸線６と直角に交差しているのが好ましい。この場合、第１反射面５１は、回転軸線６に対して直交する方向へ平行光を反射できる。その結果、例えば、回転軸線６を上下方向Ｚに沿わせた場合に、回転灯２から遠く離れた位置からの視認性を高めることができる。
【００５５】
また、第１反射面５１は、ＬＥＤ８の光軸２３と交差しているのが、視認性を高めるのに好ましい。光軸２３に沿った強い光を、第１反射面５１により周囲に確実に照射することができる。
また、本実施形態において、第２反射面５２は、回転軸線６と直角に交差する平面に形成されているのが好ましい。この場合、第２反射面５２が平面であるので、第３反射面５３を設計し易い。例えば、第３反射面５３の第１〜第３部分反射面６１，６２，６３を回転放物面形状に形成する場合に、これらの回転放物面形状の焦点Ｆ２，Ｆ３，Ｆ４を、第２反射面５２に対する光源位置Ｐ１の対称点Ｐ１１に一致させることが容易にできる。その結果、第３反射面５３の視認性を高めることができる。また、第１反射面５１による反射光が回転軸線６と直交する方向に反射される場合に、第１反射面５１からの反射光を第２反射面５２で遮ることなく外部に照射できる。
【００５６】
ここで、回転軸線６と直角に交差する平面には、当該平面と回転軸線６との交点が当該平面の輪郭の内側にある場合と、当該平面と回転軸線６との交点が当該平面の輪郭の外側にある場合とが含まれる。また、第５反射面５５についても同様である。
また、本実施形態においては、第２反射面５２は、回転軸線６に沿う方向Ｘ１に関する第１反射面５１の端縁５７から延設されているのが好ましい。この場合、ＬＥＤ８からの光を有効利用しつつ、スペースをより一層有効利用できる。
【００５７】
また、第２反射面５２の平面は、回転軸線６に沿う方向Ｘ１に関して光源位置Ｐ１から遠い側にある第１反射面５１の端縁５７から延設されているのが、第３反射面５３の視認性を高めるのに好ましい。
また、本実施形態においては、第３反射面５３の各第１〜第３の部分反射面６１，６２，６３は、第２反射面５２に関して光源位置Ｐ１に対称な対称点Ｐ１１を焦点Ｆ２，Ｆ３，Ｆ４とした回転放物面を含んでいる。これら各回転放物面の対称軸Ｓ２，Ｓ３，Ｓ４は、回転軸線６と交差している。この場合、第３反射面５３は、対称軸Ｓ２，Ｓ３，Ｓ４に平行な平行光を照射でき、この平行光により周囲からの視認性を高めることができる。
【００５８】
また、本実施形態において、第３反射面５３は、複数の回転放物面としての第１，第２および第３の部分反射面６１，６２，６３を含み、これらの回転放物面の対称軸Ｓ２，Ｓ３，Ｓ４が延びる方向（第２〜第４の照射方向Ａ２，Ａ３，Ａ４に相当する。）は互いに異なっているのが好ましい。この場合、第３反射面５３に含まれる複数の回転放物面は、互いに異なる方向へ平行光を照射できるので、周囲からの視認性をより一層高めることができる。
【００５９】
例えば、第３反射面５３に含まれる複数の回転放物面の対称軸Ｓ２，Ｓ３，Ｓ４は、回転軸線６を中心とした周方向に互いに異なっている。これにより、第２〜第４の照射方向Ａ２，Ａ３，Ａ４が、周方向に相異なるので、周囲の所定位置から回転灯２を見たときに、第３反射面５３からの反射光が視認される時間を長くできる。
また、本実施形態において、第３反射面５３の回転放物面の対称軸Ｓ２，Ｓ３，Ｓ４は、回転軸線６に対して直角に交差している。この場合、第３反射面５３は、回転軸線６に対して直交する方向へ平行光を反射できる。その結果、例えば、回転軸線６を上下方向Ｚに沿わせた場合に、回転灯２から遠く離れた位置からの視認性を高めることができる。
【００６０】
また、本実施形態において、第３反射面５３は、回転軸線６に沿う方向Ｘ１に関する反射鏡１０の一方の端部１２における外周縁部としての湾曲板４０に形成されている。第３反射面５３は、第１の照射方向Ａ１に見たときに、回転駆動機構１１の一部としての第３および第４の動力伝達部材３３，３４と重なり合っている。この場合、スペースをより一層有効利用することができる。なお、第３反射面５３が、第１の照射方向Ａ１に見たときに、回転駆動機構１１の全体と重なり合って配置されていてもよい。
【００６１】
また、本実施形態において、回転軸線６に沿う方向Ｘ１に関して、光源位置Ｐ１から離隔して副光源位置Ｐ２が設定されており、この副光源位置Ｐ２に配置された副ＬＥＤ９がさらに備えられている。反射鏡１０は、副光源位置Ｐ２を焦点Ｆ５とした回転放物面形状に形成され、副ＬＥＤ９からの光を第５の照射方向Ａ５へ向けて反射する第４反射面５４をさらに含んでいる。これにより、副ＬＥＤ９からの光は、第４反射面５４により平行光とされて第５の照射方向Ａ５に反射される。第４反射面５４の反射光が、第１反射面５１および第３反射面５３の反射光に加えて放光されるので、周囲からの視認性をより一層高めることができる。
【００６２】
また、本実施形態において、第４反射面５４は、回転放物面を含み、この回転放物面の対称軸Ｓ５は、回転軸線６と直角に交差している。この場合、第４反射面５４は、回転軸線６に対して直交する方向へ平行光を反射できる。その結果、回転軸線６を上下方向Ｚに沿わせた場合に、回転灯２から遠く離れた位置からの視認性を高めることができる。
また、第４反射面５４は、副ＬＥＤ９の光軸２４と交差しているのが、視認性を高めるのに好ましい。光軸２４に沿った強い光を、第４反射面５４により周囲に確実に照射することができる。
【００６３】
また、本実施形態の反射鏡１０は、回転軸線６と交差する姿勢で副ＬＥＤ９に対向し、副ＬＥＤ９からの直接光を反射する第５反射面５５と、この第５反射面５５による反射光を第６〜第８の照射方向Ａ６〜Ａ８へ向けて反射する第６反射面５６とをさらに含んでいる。この場合、第５反射面５５は、回転軸線６と交差するように副ＬＥＤ９と対向しているので、副ＬＥＤ９からの放射光のうちで、光軸２４に対して傾斜した方向に放射される光（この光は、第４反射面５４の外側に向けられた光である。）を、第６反射面５６に向けて反射することができる。副ＬＥＤ９からの光は、第４反射面５４により第５の照射方向Ａ５に反射されることに加えて、第５反射面５５を介して第６反射面５６により反射され、照射方向Ａ５〜Ａ８に放光される。その結果、周囲からの視認性を高めることができる。
【００６４】
また、第６反射面５６は、第５反射面５５からの反射光を受けるので、副ＬＥＤ９からの直接光を受ける場合に比べて、照射方向Ａ６〜Ａ８へ光を反射するための設計自由度を高くできる。その結果、第６反射面５６により、スペースを有効利用しつつ、周囲から見たときの視認性を高めることができる。
また、本実施形態において、第５反射面５５は、回転軸線６と直角に交差する平面に形成されているのが好ましい。この場合、第５反射面５５が平面であるので、第６反射面５６を設計し易い。例えば、第６反射面５６の第１〜第３の反射面部分７１，７２，７３の回転放物面形状の焦点Ｆ６，Ｆ７，Ｆ８を、第５反射面５５に対する副光源位置Ｐ２の対称点Ｐ１２に一致させることが容易にできる。その結果、第６反射面５６の視認性を高めることができる。また、第４反射面５４による反射光が回転軸線６と直交する方向に平行に反射される場合に、第４反射面５４からの反射光を第５反射面５５で遮ることなく外部に照射できる。
【００６５】
また、本実施形態において、第５反射面５５は、回転軸線６に沿う方向Ｘ１に関する第４反射面５４の端縁６４から延設されている。これにより、副ＬＥＤ９からの光を有効利用しつつ、スペースをより一層有効利用できる。
また、第５反射面５５の平面は、回転軸線６に沿う方向Ｘ１に関して副光源位置Ｐ２から遠い側にある第４反射面５４の端縁６４から延設されているのが、第６反射面５６の視認性を高めるのに好ましい。
【００６６】
また、第２反射面５２および第５反射面５５は、反射鏡１０の一部を形成する平板４２の互いに反対側の面に形成されているのが好ましい。この場合、スペースをより一層有効利用することができる。
また、本実施形態において、第６反射面５６の各第１〜第３の反射面部分７１，７２，７３は、第５反射面５５に関して副光源位置Ｐ２と対称な対称点Ｐ１２を焦点Ｆ６，Ｆ７，Ｆ８とした回転放物面を含んでいる。これらの各回転放物面の対称軸Ｓ６，Ｓ７，Ｓ８は、回転軸線６と交差している。この場合、第６反射面５６は、対称軸Ｓ６，Ｓ７，Ｓ８に平行な平行光を照射でき、この平行光により視認性を高めることができる。
【００６７】
また、本実施形態において、第６反射面５６は、複数の回転放物面としての第１〜第３の反射面部分７１，７２，７３を含み、これらの回転放物面の対称軸Ｓ６，Ｓ７，Ｓ８が延びる方向（第６〜第８の照射方向Ａ６，Ａ７，Ａ８が相当する。）は互いに異なっている。これにより、第６反射面５６に含まれる複数の回転放物面は、互いに異なる方向へ平行光を照射できるので、周囲からの視認性をより一層高めることができる。
【００６８】
例えば、第６反射面５６に含まれる複数の回転放物面の対称軸Ｓ６，Ｓ７，Ｓ８は、回転軸線６を中心とした周方向に互いに異なっている。これにより、第６〜第８の照射方向Ａ６，Ａ７，Ａ８が、周方向に相異なるので、周囲の所定位置から回転灯２を見たときに、第６反射面５６からの反射光が視認される時間を長くできる。
また、第６反射面５６の第１〜第３の反射面部分７１，７２，７３の回転放物面の対称軸Ｓ６，Ｓ７，Ｓ８は、回転軸線６に対して斜め下向きに交差している。この場合、第６反射面５６は、下向きに平行光を反射できるので、回転灯２の下方からの視認性を高めることができる。
【００６９】
また、本実施形態において、回転軸線６に沿う方向Ｘ１に関して、第３反射面５３は光源位置Ｐ１よりも外方に配置され、第６反射面５６は副光源位置Ｐ２よりも外方に配置され、第１、第２、第４および第５反射面５１，５２，５４，５５は、光源位置Ｐ１と副光源位置Ｐ２との間に配置されている場合がある。この場合、ＬＥＤ８および副ＬＥＤ９を、回転軸線６に沿う方向Ｘ１に関して、反射鏡１０の両端部１２，１３に配置できるので、ＬＥＤ８および副ＬＥＤ９を固定する構造を簡素化できる。その結果、スペースをより一層有効利用することができる。
【００７０】
これに加えて、第２および第５反射面５２，５５を光源位置Ｐ１および副光源位置Ｐ２から等距離に配置することにより、第１の照射方向Ａ１からみたときに、反射面が略矩形に見え、これの中央部が明るくなる。従って、視認性をより一層高くできる。
なお、本実施形態では、反射鏡１０の第１反射面５１の第１の照射方向Ａ１は、回転軸線６に直交していたが、これには限定されない。例えば、第１の照射方向Ａ１が、回転軸線６に対して斜めに、例えば、下向きに交差する場合も考えられる。この場合、下方から見たときの視認性を向上させることができる。また、第２〜第５の照射方向Ａ２〜Ａ５についても同様に、回転軸線６に対して斜めに交差する場合も考えられる。また、第６〜第８の照射方向Ａ８は、回転軸線６に対して斜め下向きに交差していたが、これには限定されず、例えば、斜め上向きでもよいし、回転軸線６に対して直交していてもよい。また、第１〜第８の照射方向Ａ１〜Ａ８が互いに平行であってもよいし、互いに異なる方向であってもよい。なお、後述する第２の実施形態についても同様である。
【００７１】
また、本実施形態について、以下のような変形例を考えることができる。以下の説明では、上述の実施形態と異なる点を中心に図示して、この点を主に説明する。他の構成については、説明を省略するが、上述の実施形態と同様であり、同一符号を付してある。
例えば、図７は、本発明の第２の実施形態の回転灯が適用された信号表示灯の側面図であり、一部を断面表示してある。図７を参照して、信号表示灯１０１は、当該信号表示灯１０１の頂部に配置されるユニットとしての頂部カバー１０２と、発光して信号を表示する表示ユニット１０３と、信号表示灯１０１の基端部寄りに配置される基部ユニット１０４とを有している。表示ユニット１０３は、例えば、３つが設けられているが、少なくともひとつがあればよい。
【００７２】
上述の複数のユニット１０２，１０３，１０４は、互いに、積層方向Ｓに積層可能とされ、積層状態で連結可能とされている。例えば、上述の各ユニット１０２，１０３，１０４は、断面円形の筒形状をそれぞれなしている。各ユニット１０２，１０３，１０４の筒形状の中心軸線が、互いに一致するようにして、各ユニット１０２，１０３，１０４が、互いに積み重ねられて連結される。これにより、信号表示灯１０１が構成されている。信号表示灯１０１は、積層方向に長い柱状形状をなしていて、積層方向を例えば上下方向Ｚに沿わせた状態で、設置対象部材７、例えば自動機械の上面に設置される。なお、信号表示灯１０１の設置姿勢は、上述の姿勢に限定されないが、本実施形態では、信号表示灯１０１の積層方向が上下方向Ｚに沿う場合に則して説明する。
【００７３】
基部ユニット１０４は、表示ユニット１０３へ電力を供給する電源装置を有している。基部ユニット１０４の端部が、設置対象部材７に取り付けられている。
表示ユニット１０３は、筒状の外郭ケースとしての透光性のグローブ１０５と、グローブ１０５内に収容された回転灯１０６とを有している。回転灯１０６は、グローブ１０５により支持されている。
【００７４】
図８は、図７の回転灯１０６の断面図である。図９は、図８の反射鏡の斜視図である。図８、図９を参照して、本実施形態の回転灯１０６は、第１の実施形態の回転灯２とは、以下の点で異なり、他の構成については同じとされている。
回転灯１０６は、ＬＥＤ８と、ＬＥＤ８から発せられた光を受けて所定の照射方向Ａ１〜Ａ４に反射する反射鏡１０７と、この反射鏡１０７を所定の回転軸線６の周りに回転駆動する回転駆動機構１０８とを有している。反射鏡１０７が所定の回転軸線６の周りに回転することにより、反射鏡１０７による反射光の照射方向Ａ１〜Ａ４が徐々に変化する。これにより、光が水平方向の全周に向けて放光される。なお、回転灯１０６は、副光源位置Ｐ２、および副ＬＥＤ９を有していない。また、回転灯１０６は、光源位置Ｐ１を有しているが、副光源位置Ｐ２は有していない。反射鏡１０７は、第１の実施形態の反射鏡１０の上半部を廃止したものである。
【００７５】
本実施形態の回転灯１０６の反射鏡１０７、および回転駆動機構１０８は、第１の実施形態の回転灯２の反射鏡１０、および回転駆動機構１１とは、以下の点で異なり、他の構成については同じとされている。
回転駆動機構１０８は、駆動源としての電動モータ３０と、この電動モータ３０の回転を反射鏡１０７に伝達するための伝達機構としての第１および第２の動力伝達部材３１，３２とを有している。
【００７６】
第１の動力伝達部材３１と第２の動力伝達部材３２とは、互いに係合することにより、互いに動力を伝達する。第１の動力伝達部材３１は、駆動部材として機能し、第２の動力伝達部材３２は、従動部材として機能する。第１の動力伝達部材３１は、相対的に小径の円筒形状のローラであり、電動モータ３０の出力軸に固定されている。第２の動力伝達部材３２は、第１の動力伝達部材３１よりも相対的に大径の環状をなし、反射鏡１０７の環状板３８と一体回転できるように、環状板３８と単一部材により一体に形成されている。第１の動力伝達部材３１の外周面の係合部と、第２の動力伝達部材３２の内周面の係合部とが互いに摩擦を伴って係合することにより、第１の動力伝達部材３１の回転が第２の動力伝達部材３２に伝達される。なお、環状板３８と、第２の動力伝達部材３２とが、互いに別部材に形成されて、互いに固定されてもよい。
【００７７】
図１０は、図９の反射鏡１０７の正面図である。図１１は、図１０のＸＩ−ＸＩ断面の断面図である。図１２は、図１０のＸＩＩ−ＸＩＩ断面の断面図である。
反射鏡１０７は、第１反射面５１と、第２反射面５２と、第３反射面５３とを有しているが、第４〜第６反射面５４，５５，５６は有していない。これにより、反射鏡１０７は、回転軸線６に沿う方向Ｘ１に関して小型化されている。また、回転灯１０６を小型化でき、信号表示灯１０１を小型化できる。
【００７８】
また、反射鏡１０７の第３反射面５３は、第１の照射方向Ａ１に見たときに、回転駆動機構１０８の一部としての第１および第２の動力伝達部材３１，３２と重なり合って配置されるとともに、電動モータ３０の一部とも重なり合って配置されている。これにより、スペースをより一層有効利用することができる。その結果、例えば、この回転灯１０６からの光は、グローブ１０５の外周面のほぼ全域から放光される。
【００７９】
回転軸線６に沿う方向Ｘ１に関して、周囲から見たときの回転灯１０６の反射面全体の大きさを維持しつつ、回転灯１０６の外形を小型化（薄型化）できる。従って、例えば、積層式信号表示灯１０１の視認性を高く維持しつつ、信号表示灯１０１を小型化できる。その結果、信号表示灯１０１をより一層広い用途に適用することができる。
なお、上述の各実施形態の回転放物面としては、回転放物面形状の一部をなしていればよく、また、回転放物面形状に代えて、回転放物面形状に近似した形状とすることも考えられる。
【００８０】
上述の各実施形態においては、第２反射面５２は、回転軸線６に対して直交するような平面に形成されていたが、回転軸線６に対して斜めに交差するような平面に形成されていてもよい。また、第２反射面５２の延長面と回転軸線６とが互いに交差していたが、第２反射面５２の輪郭の内側部分と回転軸線６とが互いに交差する場合も考えられる。第５反射面５５についても同様である。
【００８１】
上述の各実施形態において、第３反射面５３は、複数の回転放物面（第１〜第３の部分反射面６１，６２，６３に相当する。）を有していたが、少なくとも１つの回転放物面があればよい。例えば、第３反射面５３の第２の部分反射面６２および第３の部分反射面６３を廃止し、第１の部分反射面６１を、回転軸線６を中心とした周方向の両側に延長して形成してもよい。また、第３反射面５３の第１の部分反射面６１を廃止し、第２の部分反射面６２および第３の部分反射面６３を互いに近接する向きに延長して形成してもよい。第６反射面５６についても同様である。
【００８２】
また、第１の実施形態の回転灯２を、積層式信号表示灯１０１に適用してもよい。また、第２の実施形態の回転灯１０６を、回転警告灯１に適用してもよい。その他、特許請求の範囲に記載された事項の範囲内で種々の変更を施すことができる。
【図面の簡単な説明】
【００８３】
【図１】本発明の第１の実施形態の回転灯が適用された回転警告灯の断面図である。
【図２】図１の回転灯の反射鏡の斜視図である。
【図３】図２の反射鏡の正面図である。
【図４】図３のＩＶ−ＩＶ断面の断面図である。
【図５】図３のＶ−Ｖ断面の断面図である。
【図６】図２の反射鏡の平面図である。
【図７】本発明の第２の実施形態の回転灯が適用された信号表示灯の側面図であり、一部を断面表示してある。
【図８】図７の回転灯の断面図である。
【図９】図８の反射鏡の斜視図である。
【図１０】図９の反射鏡の正面図である。
【図１１】図１０のＸＩ−ＸＩ断面の断面図である。
【図１２】図１０のＸＩＩ−ＸＩＩ断面の断面図である。
【符号の説明】
【００８４】
２，１０６…回転灯
６…回転軸線
８…発光ダイオード
９…副発光ダイオード
１０，１０７…反射鏡
１１，１０８…回転駆動機構
１２…（反射鏡の一方の）端部
２３…光軸
３０…電動モータ（回転駆動機構の一部）
３１…第１の動力伝達部材（回転駆動機構の一部）
３２…第２の動力伝達部材（回転駆動機構の一部）
３３…第３の動力伝達部材（回転駆動機構の一部）
３４…第４の動力伝達部材（回転駆動機構の一部）
４０…湾曲板（外周縁部）
５１…第１反射面
５２…第２反射面
５３…第３反射面
５４…第４反射面
５５…第５反射面
５６…第６反射面
５７…（回転軸線に沿う方向に関する第１反射面の）端縁
６４…（回転軸線に沿う方向に関する第４反射面の）端縁
Ａ１…第１の照射方向
Ａ２…第２の照射方向（第３反射面の回転放物面の対称軸が延びる方向）
Ａ３…第３の照射方向（第３反射面の回転放物面の対称軸が延びる方向）
Ａ４…第４の照射方向（第３反射面の回転放物面の対称軸が延びる方向）
Ａ５…第５の照射方向
Ａ６…第６の照射方向（第６反射面の回転放物面の対称軸が延びる方向）
Ａ７…第７の照射方向（第６反射面の回転放物面の対称軸が延びる方向）
Ａ８…第８の照射方向（第６反射面の回転放物面の対称軸が延びる方向）
Ｆ１…（第１反射面の）焦点
Ｆ２，Ｆ３，Ｆ４…焦点（第３反射面の回転放物面の焦点）
Ｆ５…（第４反射面の）焦点
Ｆ６，Ｆ７，Ｆ８…焦点（第６反射面の回転放物面の焦点）
Ｓ１…（第１反射面の回転放物面の）対称軸
Ｓ２，Ｓ３，Ｓ４…対称軸（第３反射面の回転放物面の対称軸）
Ｓ５…（第４反射面の回転放物面の）対称軸
Ｓ６，Ｓ７，Ｓ８…対称軸（第６反射面の回転放物面の対称軸）
Ｐ１…光源位置
Ｐ２…副光源位置
Ｐ１１…（第２反射面に対する光源位置の）対称点
Ｐ１２…（第５反射面に対する副光源位置の）対称点
Ｘ１…方向（回転軸線に沿う方向）
Ｘ２…径方向
【図１】
0005146738.tif 000002
【図２】
0005146738.tif 000003
【図３】
0005146738.tif 000004
【図４】
0005146738.tif 000005
【図５】
0005146738.tif 000006
【図６】
0005146738.tif 000007
【図７】
0005146738.tif 000008
【図８】
0005146738.tif 000009
【図９】
0005146738.tif 000010
【図１０】
0005146738.tif 000011
【図１１】
0005146738.tif 000012
【図１２】
0005146738.tif 000013